(57)【要約】【課題】サンプルの落書きに使用された画像編集アイテムを速やかに選択して満足のいく落書きの画像編集が行えるようにし、誰でもが、簡単に、サンプル写真に近い写真シールを得ることができるようにする。【解決手段】落書きの画像編集処理のときに、落書き済みのサンプル写真の画像及びサンプル写真の落書きに使用された画像編集アイテムのサンプルアイテム選択パレットの画像をサンプル記憶手段（大容量記憶装置２０３）から読み出し、表示手段（表示パネル３０）に編集対象写真の画像とともに表示する。【選択図】図１
2005210272.tif 000002
【特許請求の範囲】
【請求項１】
表示手段に表示された編集対象写真の画像の画像編集操作を受付け、前記編集対象写真の画像に落書きの画像編集を施す画像編集処理手段と、
前記画像編集が施された前記編集対象写真の画像の写真シールを形成して出力する印刷処理手段とを備えた写真シール払出装置において、
落書き済みのサンプル写真の画像及び該サンプル写真の画像の落書きの画像編集操作に使用された画像編集アイテムの表示・選択用のサンプルアイテム選択パレットの画像を保持したサンプル記憶手段と、
前記落書きの画像編集により、前記サンプル記憶手段から前記サンプル写真の画像及び前記サンプルアイテム選択パレットの画像を読み出して前記表示手段に表示するサンプル表示処理手段とを備えたことを特徴とする写真シール払出装置。
【請求項２】
サンプル表示処理手段が、サンプル記憶手段から読み出したサンプル写真の画像及びサンプルアイテム選択パレットの画像を、表示手段の編集対象写真の画像の表示位置近傍の一定個所に集約的に表示することを特徴とする請求項１に記載の写真シール払出装置。
【請求項３】
表示手段の編集対象写真の画像の表示位置が複数個であって、サンプル表示処理手段が、サンプル記憶手段から読み出したサンプル写真の画像及びサンプルアイテム選択パレットの画像を前記表示手段の前記各表示位置近傍それぞれに表示することを特徴とする請求項１または２に記載の写真シール払出装置。
【請求項４】
落書きの汎用の画像編集アイテムの表示・選択用の汎用アイテム選択パレットの画像を保持した汎用パレット記憶手段と、
前記汎用パレット記憶手段から前記汎用アイテム選択パレットの画像を読み出し、表示手段のサンプル写真の画像及びサンプルアイテム選択パレットの画像の表示位置と異なる位置に、前記汎用アイテム選択パレットの画像を表示する汎用パレット表示処理手段とを備えたことを特徴とする請求項１〜３のいずれかに記載の写真シール払出装置。
【請求項５】
サンプル記憶手段にサンプル写真の画像及びサンプルアイテム選択パレットの画像を複数組保持し、サンプル表示処理手段により、サンプル写真の選択にしたがって前記サンプル記憶手段から選択された組の前記サンプル写真の画像及び前記サンプルアイテム選択パレットの画像を読み出して表示することを特徴とする請求項１〜４のいずれかに記載の写真シール払出装置。
【請求項６】
編集対象写真の落書きの画像編集前の撮影の条件選択に連動してサンプル写真が選択されることを特徴とする請求項５に記載の写真シール払出装置。
【請求項７】
画像編集処理の制御により、表示手段に表示された編集対象写真の画像に画像編集操作にしたがって落書きの画像編集を施し、
印刷処理の制御により、前記画像編集が施された前記編集対象写真の画像の写真シールを形成して出力する写真シール払出装置の制御方法において、
前記落書きの画像編集のときに、サンプル表示処理の制御により、落書き済みのサンプル写真の画像及び該サンプル写真の画像の落書きの画像編集操作に使用された画像編集アイテムの表示・選択用のサンプルアイテム選択パレットの画像を、サンプル記憶手段から読み出して前記表示手段に表示することを特徴とする写真シール払出装置の制御方法。
【請求項８】
サンプル表示処理の制御により、サンプル写真の画像及びサンプルアイテム選択パレットの画像を表示手段の編集対象写真の画像の表示位置近傍の一定個所に集約的に表示することを特徴とする請求項７に記載の写真シール払出装置の制御方法。
【請求項９】
表示手段の編集対象写真の画像の表示位置が複数個であって、落書きの画像編集のときに、サンプル表示処理の制御により、サンプル記憶手段から読み出したサンプル写真の画像及びサンプルアイテム選択パレットの画像を前記各表示位置近傍それぞれに表示することを特徴とする請求項７または８に記載の写真シール払出装置の制御方法。
【請求項１０】
落書きの画像編集のときに、汎用パレット表示処理の制御により、汎用パレット記憶手段に保持された落書きの汎用の画像編集アイテムの表示・選択用の汎用アイテム選択パレットの画像を読み出し、表示手段のサンプル写真の画像及びサンプルアイテム選択パレットの画像の表示位置と異なる位置に、前記汎用アイテム選択パレットの画像を表示することを特徴とする請求項７〜９のいすれかに記載の写真シール払出装置の制御方法。
【請求項１１】
落書きの画像編集のときに、サンプル表示処理の制御により、サンプル写真の選択にしたがって、サンプル記憶手段に保持された複数組のサンプル写真の画像及びサンプルアイテム選択パレットの画像から選択された組の前記サンプル写真の画像及び前記サンプルアイテム選択パレットの画像を読み出して表示することを特徴とする請求項７〜１０のいずれかに記載の写真シール払出装置の制御方法。
【請求項１２】
編集対象写真の落書きの画像編集前の撮影の条件選択に連動してサンプル写真が選択されることを特徴とする請求項１１に記載の写真シール払出装置の制御方法。
【発明の詳細な説明】
【技術分野】
【０００１】
本発明は、撮影等して得られた落書き対象写真の画像に文字、図形等を装飾描画して画像編集を施し、この画像編集が施された落書き対象写真の画像の写真シールを形成して出力する写真シール払出装置に関するものである。
【背景技術】
【０００２】
従来、１人であるいは友人同士等の複数人で撮影等した写真に落書きの画像編集を施し、好みの文字や図形等を書き込んだ写真シールを印刷して払い出す写真シール払出装置（通常、プリントクラブと称される）が、遊技場を始めとする各所に設置されている。
【０００３】
この種の装置は、通常、利用者（以下、ユーザという）が硬貨投入口に所定課金額のコイン（硬貨）を投入すると起動されて「撮影プレイ」のゲーム（処理）を開始し、例えばＣＣＤカメラの撮影手段により、選択されたコース・テーマの背景等でユーザを撮影する。
【０００４】
この撮影後、「落書きプレイ」の画像編集のゲームに移行し、前記の撮影で得られた編集対象写真の画像にタッチペンにより操作入力された文字や図形等を上書きし、ユーザの好みの文字や図形等の落書きの画像編集が施された編集済みの写真の画像を形成する。
【０００５】
さらに、この編集済みの写真の画像をプリンタによりシール台紙に印刷し、その写真シールをシール取出口へ払出すようになっている（例えば、特許文献１参照。）。
【０００６】
なお、撮影等した複数人が同時に前記の「落書きプレイ」の画像編集を行えるようにするため、編集対象写真の表示画面やタッチペン等を複数個（多くの場合２個）設け、各タッチペンによる落書きの画像編集を同時に受け付けるようにしたものもある。
【０００７】
【特許文献１】特開２００３−１２５３４８号公報（段落「００４６」〜「００５３」）
【発明の開示】
【発明が解決しようとする課題】
【０００８】
ところで、この種の写真シール払出装置は、その筐体の内外にサンプルの落書きを施した画像編集済みのサンプル写真の写真シールが貼られている。
【０００９】
そして、大半のユーザは、好みのサンプルと同じコース・テーマで撮影し、同様の落書きを施し、サンプル写真の写真シールに近い写真シールを得ることを望む。
【００１０】
しかしながら、上記した特許文献１等に記載の従来装置の場合、「落書きプレイ」の限られた時間内に、サンプル写真の落書きに近い満足のいく落書きの画像編集を行うことは容易でなく、サンプルの写真シールに近い写真シールを簡単に得ることができない。
【００１１】
すなわち、この種の写真シール払出装置においては、通常、「撮影プレイ」の開始から「落書きプレイ」の終了までの一連のゲーム時間が決められている。
【００１２】
一方、「落書きプレイ」においては、タッチペン等により、サンプルの落書きに使用された描画用のペン、文字や図形のスタンプ、ふち飾り用のフレーム等の落書きの画像編集アイテムを、画面表示されたそれらの多数のアイコン等から試行錯誤的に検索して選択し、サンプル写真と同じように撮影されて画面表示された編集対象写真の画像に、サンプルの落書きを思い出しながら落書きの画像編集をするのでは、サンプルに近い落書きが完成するまでにかなりの時間を要する。
【００１３】
そのため、前記のゲーム時間の制限下、満足のいく落書きの画像編集を行うことは容易ではなく、好みのサンプルに近い写真シールを簡単に得ることができない。
【００１４】
とくに、最近のこの種の写真シール払出装置にあっては、前記の落書きのアイテムの個数（種類）が、数百以上（多いものでは一千種以上）にもなるため、どのようなアイテムがあるのかを閲覧し、それらからサンプルの落書きに使用されたアイテムを検索して選択するのでは、「落書きプレイ」の時間の大半が、そのために費やされ、実際の画像編集時間が極めて短くなり、満足のいく落書きの画像編集を行うことは極めて困難である。
【００１５】
そのため、サンプル写真に近い写真シールを望んでも得ることができず、ユーザに、「思うような落書きができなかった」という不満が残り、ユーザの期待に十分に応えることができない問題がある。
【００１６】
本発明は、サンプルの落書きに使用された画像編集アイテムを速やかに選択して満足のいく落書きの画像編集が行えるようにし、誰でもが、簡単に、サンプル写真に近い写真シールを得ることができるようにし、その際、サンプルの落書きに使用された画像編集アイテム以外の画像編集アイテムも自由に選択できるようにして落書きの自由度を損ねないようにすることも目的とする。
【課題を解決するための手段】
【００１７】
上記した目的を達成するために、本発明の写真シール払出装置は、表示手段に表示された編集対象写真の画像の画像編集操作を受付け、前記編集対象写真の画像に落書きの画像編集を施す画像編集処理手段と、前記画像編集が施された前記編集対象写真の画像の写真シールを形成して出力する印刷処理手段とを備えた写真シール払出装置において、落書き済みのサンプル写真の画像及び該サンプル写真の画像の落書きの画像編集操作に使用された画像編集アイテムの表示・選択用のサンプルアイテム選択パレットの画像を保持したサンプル記憶手段と、前記落書きの画像編集により、前記サンプル記憶手段から前記サンプル写真の画像及び前記サンプルアイテム選択パレットの画像を読み出して前記表示手段に表示するサンプル表示処理手段とを備えたことを特徴としている（請求項１）。
【００１８】
また、上記した目的を達成するために、本発明の写真シール払出装置は、さらに、サンプル表示処理手段が、サンプル記憶手段から読み出したサンプル写真の画像及びサンプルアイテム選択パレットの画像を、表示手段の編集対象写真の画像の表示位置近傍の一定個所に集約的に表示することを特徴としている（請求項２）。
【００１９】
さらに、複数人による画像編集を考慮して、本発明の写真シール払出装置は、表示手段の編集対象写真の画像の表示位置が複数個であって、サンプル表示処理手段が、サンプル記憶手段から読み出したサンプル写真の画像及びサンプルアイテム選択パレットの画像を前記表示手段の前記各表示位置近傍それぞれに表示することを特徴としている（請求項３）。
【００２０】
また、本発明の写真シール払出装置は、落書きの汎用の画像編集アイテムの表示・選択用の汎用アイテム選択パレットの画像を保持した汎用パレット記憶手段と、前記汎用パレット記憶手段から前記汎用アイテム選択パレットの画像を読み出し、表示手段のサンプル写真の画像及びサンプルアイテム選択パレットの画像の表示位置と異なる位置に、前記汎用アイテム選択パレットの画像を表示する汎用パレット表示処理手段とを備えたことを特徴としている（請求項４）。
【００２１】
さらに、本発明の写真シール払出装置は、サンプル記憶手段にサンプル写真の画像及びサンプルアイテム選択パレットの画像を複数組保持し、サンプル表示処理手段により、サンプル写真の選択にしたがって前記サンプル記憶手段から選択された組の前記サンプル写真の画像及び前記サンプルアイテム選択パレットの画像を読み出して表示することを特徴とし（請求項５）、その際、編集対象写真の落書きの画像編集前の撮影の条件選択に連動してサンプル写真が選択されることも特徴としている（請求項６）。
【００２２】
つぎに、上記した目的を達成するために、本発明の写真シール払出装置の制御方法は、画像編集処理の制御により、表示手段に表示された編集対象写真の画像に画像編集操作にしたがって落書きの画像編集を施し、印刷処理の制御により、前記画像編集が施された前記編集対象写真の画像の写真シールを形成して出力する写真シール払出装置の制御方法において、前記落書きの画像編集のときに、サンプル表示処理の制御により、落書き済みのサンプル写真の画像及び該サンプル写真の画像の落書きの画像編集操作に使用された画像編集アイテムの表示・選択用のサンプルアイテム選択パレットの画像を、サンプル記憶手段から読み出して前記表示手段に表示することを特徴としている（請求項７）。
【００２３】
また、上記した目的を達成するために、本発明の写真シール払出装置の制御方法は、サンプル表示処理の制御により、サンプル写真の画像及びサンプルアイテム選択パレットの画像を表示手段の編集対象写真の画像の表示位置近傍の一定個所に集約的に表示することを特徴としている（請求項８）。
【００２４】
さらに、複数人による画像編集を考慮して、本発明の写真シール払出装置の制御方法は、表示手段の編集対象写真の画像の表示位置が複数個であって、落書きの画像編集のときに、サンプル表示処理の制御により、サンプル記憶手段から読み出したサンプル写真の画像及びサンプルアイテム選択パレットの画像を前記各表示位置近傍それぞれに表示することを特徴としている（請求項９）。
【００２５】
また、本発明の写真シール払出装置の制御方法は、落書きの画像編集のときに、汎用パレット表示処理の制御により、汎用パレット記憶手段に保持された落書きの汎用の画像編集アイテムの表示・選択用の汎用アイテム選択パレットの画像を読み出し、表示手段のサンプル写真の画像及びサンプルアイテム選択パレットの画像の表示位置と異なる位置に、前記汎用アイテム選択パレットの画像を表示することを特徴としている（請求項１０）。
【００２６】
さらに、本発明の写真シール払出装置の制御方法は、落書きの画像編集のときに、サンプル表示処理の制御により、サンプル写真の選択にしたがって、サンプル記憶手段に保持された複数組のサンプル写真の画像及びサンプルアイテム選択パレットの画像から選択された組の前記サンプル写真の画像及び前記サンプルアイテム選択パレットの画像を読み出して表示することを特徴とし（請求項１１）、その際、編集対象写真の落書きの画像編集前の撮影の条件選択に連動してサンプル写真が選択されることも特徴としている（請求項１２）。
【発明の効果】
【００２７】
請求項１、７の発明によれば、前記の「落書きプレイ」の画像編集処理のときに、落書き済みのサンプル写真の画像及びサンプルアイテム選択パレットの画像がサンプル記憶手段から読み出されて表示手段に編集対象写真の画像とともに表示される。
【００２８】
このとき、サンプルアイテム選択パレットに、サンプル写真の落書きに使用された画像編集アイテムが抽出して表示されるため、サンプルアイテム選択パレットから、サンプル写真の落書きに使用された画像編集アイテムを容易に選択することができ、アイテムの検索や選択に時間がかからなくなり、速やかに落書きの画像編集操作をはじめることができる。
【００２９】
しかも、表示手段に表示されたサンプル写真の落書きをお手本として見ながら、サンプルアイテム選択パレットから選択した画像編集アイテムによって、編集対象写真の画像に容易に落書きの画像編集操作を行うことができる。
【００３０】
したがって、編集対象写真の画像にサンプル写真の落書きを真似た落書きを短時間に容易に施すことができ、誰でもが、短時間に満足のいく落書きの画像編集を行うことができ、ユーザの期待に応えることができる。
【００３１】
また、請求項２、８の発明によれば、表示手段の編集対象写真の近傍の一定個所に、サンプル写真及びサンプルアイテム選択パレットがまとめて表示されるため、サンプル写真及びサンプルアイテム選択パレットを見つけ易く、しかも、サンプル写真を見ながらサンプルアイテム選択パレットの画像編集アイテムをきわめて容易に選択することができ、落書きの画像編集の操作性が向上し、一層短時間に満足のいく落書きの画像編集を行うことができる。
【００３２】
さらに、請求項３、９の発明によれば、表示手段の複数個の表示位置それぞれに編集対象写真の画像を表示して複数人で落書きの画像編集が行えるようにするときに、それらの表示位置近傍それぞれに、サンプル記憶手段から読み出したサンプル写真の画像及びサンプルアイテム選択パレットの画像が表示されるため、各人が、それぞれの編集対象写真の画像の近傍に表示されたサンプル写真の落書きをお手本にして、各サンプルアイテム選択パレットそれぞれから画像編集アイテムを選択し、各表示位置の編集対象写真の画像に容易に、サンプル写真の落書きを真似た落書きの画像編集操作を行うことができる。
【００３３】
したがって、複数人で落書きの画像編集を行うときに、各表示位置の編集対象写真の画像にサンプル写真の落書きを真似た落書きを短時間に容易に施すことができ、短時間に満足のいく落書きの画像編集を行うことができる。
【００３４】
つぎに、請求項４、１０の発明によれば、落書きの画像編集のときに、表示手段に、サンプル写真の画像及びサンプルアイテム選択パレットの画像だけでなく、落書きの汎用の画像編集アイテムの表示・選択用の汎用アイテム選択パレットの画像も表示されるため、編集対象写真の画像に、サンプルアイテム選択パレットのサンプル写真の落書きに使用された画像編集アイテムによる画像編集だけでなく、汎用アイテム選択パレットの汎用の画像編集アイテムによる画像編集も施すことができ、アイテムの制約等なく自由に落書きの画像編集を行うことができる。
【００３５】
さらに、請求項５、１１の発明によれば、落書きの画像編集のときに、サンプル写真の選択にしたがって、選択されたサンプル写真の画像及びそのサンプルアイテム選択パレットの画像が表示手段に表示されるため、お手本にするサンプル写真の選択に連動して表示手段に表示されるサンプルアイテム選択パレットも変わり、編集対象写真の画像に、選択されたサンプル写真を真似た落書きの画像編集を施すことができる。
【００３６】
また、請求項６、１２の発明によれば、編集対象写真の落書きの画像編集前の撮影条件の選択に連動してサンプル写真が選択されるため、編集対象写真の「撮影プレイ」におけるコースやテーマ等の撮影条件に応じた好ましいサンプル写真が自動的に選択され、「落書きプレイ」に移行したときに、その好ましいサンプル写真をお手本にして編集対象写真の画像に落書きの画像編集を施すことができる。
【発明を実施するための最良の形態】
【００３７】
この発明の１実施形態について、図１〜図５を参照して説明する。
【００３８】
図１は構成説明用のブロック図、図２、図３はそれぞれ図１の動作説明用のフローチャート、図４は図１の表示パネルの落書きの画像編集の表示画面の１例の図、図５はその一部の詳細な表示例の図である。
【００３９】
（構成）
まず、写真シール払出装置１の要部のブロック構成について、図１を参照して説明する。
【００４０】
写真シール払出装置１は、コイン投入からゲーム終了までの表示、操作に用いられる表示パネル３０及び写真シール払出装置１の各部を制御するコンピュータ構成のコントローラ部２００を備える。
【００４１】
表示パネル３０は、例えば、液晶ディスプレイパネル、プラズマディスプレイパネル等の画面表示パネル及びその接触位置検出用のデジタイザからなり、「撮影プレイ」にあっては主にゲーム進行・操作の画面を表示し、「落書きプレイ」にあっては後述する落書きの画像編集処理の画面を表示する。
【００４２】
また、コントローラ部２００は、予め設定されたプログラムを実行して装置１の各部を制御するＣＰＵ２０１、このＣＰＵ２０１が実行するプログラムを保持するＲＯＭ及び各種データを一時記憶するＲＡＭ等からなるメモリ部２０２、各種の画像のデータ等を保存記憶するハードディスク（ＨＤ）装置やレーザディスク装置からなる大容量記憶装置２０３や、表示パネル３０の表示処理部２０５、操作入力部２０６及び、印刷出力部２０８等をバス接続して形成され、後述する本発明のサンプル記憶手段、汎用パレット記憶手段等を形成する。
【００４３】
なお、図中の５５は印刷出力部２０８に接続されたフルカラー式のプリンタであり、印刷処理手段を形成する。２０はＣＣＤカメラ及び撮影モニタで構成された撮影ユニット、６０は装置本体１１の各種光源からなる照明機器である。
【００４４】
つぎに、表示パネ３０の落書きの画像編集処理の画面について、図４、図５を参照して説明する。
【００４５】
図４は表示パネル３０の画像編集処理の画面の１例を示し、画面中央左寄りの位置に編集対象写真の画像Ｐｘを表示する落書き編集領域３１が位置し、その上部近傍に複数の編集候補写真の画像Ｐｉを表示する候補写真領域３２が位置し、落書き編集領域３１の右側上部近傍に落書きお手本領域３３が位置し、その下部〜落書き編集領域３１の下部の近傍に汎用アイテム選択パレット領域３４が位置し、３１、３２、３３が落書き編集領域３１を取り囲む。
【００４６】
そして、候補写真領域３２の各編集候補写真の画像Ｐｉは「撮影プレイ」によって撮影された写真の画像であり、落書き編集領域３１の編集対象写真の画像Ｐｘは各編集候補写真の画像Ｐｉから選択された写真の画像である。
【００４７】
また、落書きお手本領域３３には、後述のサンプル表示処理手段の表示処理に基き、領域３３の詳細な表示例の図である図５に示すように、お手本としての落書き済みのサンプル写真の画像Ｐｓ及びその落書きに使用されたペン、フレーム、スタンプ等の画像編集アイテムの表示・選択のアイコンＩのみで構成されたサンプルアイテム選択パレットの画像Ｐｐが表示される。すなわち、この実施形態にあっては、編集対象写真の画像Ｐｘの近傍の一定個所（落書きお手本領域３３）に、落書き済みのサンプル写真の画像Ｐｓ及びサンプルアイテム選択パレットの画像Ｐｐが集約的に表示される。
【００４８】
なお、サンプル写真の画像Ｐｓは、撮影されたモデルの写真に、１又は複数のペン、フレーム、スタンプ等を用いてサンプルの落書きＲを上書き合成したものであり、画像編集アイテムには、描画用のペン、枠飾り用のフレーム、種々の図形やメッセージのスタンプ、消しゴム等があり、その種類は数百以上にもなるが、サンプルアイテム選択パレットには、それらのうちのサンプル写真のサンプルの落書きＲで使用されたもののアイコンＩのみが表示される。
【００４９】
つぎに、汎用アイテム選択パレット領域３４には、後述の汎用パレット表示処理手段の表示処理に基き、前記の数百以上の種々の落書きの汎用の各画像編集アイテムの選択アイコンＩが、ペン、スタンプ、フレーム等の種類別の汎用アイテム選択パレットに、ページ単位で表示される。このとき、汎用アイテム選択パレット領域３４が、画像編集処理画面の落書き編集領域３１の近傍の落書きお手本領域３３等と異なる位置に設けられるため、落書きの画像編集のときに、汎用アイテム選択パレットの画像Ｐｎは、編集対象写真の画像Ｐｘの近傍に、サンプル写真の画像Ｐｓ及びサンプルアイテム選択パレットの画像Ｐｐと別個に分かり易く表示される。
【００５０】
つぎに、コントローラ部２００のサンプル記憶手段、汎用パレット記憶手段等について説明する。
【００５１】
両記憶手段は大容量記憶装置２０３が形成し、サンプル記憶手段は、落書き済みのサンプル写真の画像Ｐｓ及びこの画像Ｐｓの落書きの画像編集操作に使用された画像編集アイテムの表示・選択用のサンプルアイテム選択パレットの画像Ｐｐを保持する手段であり、具体的には、コース・テーマ等の撮影条件に対応させて設定された複数組の画像Ｐｓ、Ｐｐを記憶して保持する。また、汎用パレット記憶手段は、落書きの汎用の画像編集アイテムの表示・選択用の汎用アイテム選択パレットの画像Ｐｎを記憶して保持する。
【００５２】
また、ＣＰＵ２０１は、所定金額のコイン投入によりメモリ部２０２に記憶された図２のステップＳ１〜Ｓ３の「撮影プレイ」のプログラムを実行し、撮影が終了すると、メモリ部２０２に記憶された図３のステップＳ１１〜Ｓ１９の「落書きプレイ」のプログラムを実行し、これらのプログラムの実行によりＣＰＵ２０１がメモリ部２０２とともに画像処理部を形成する。
【００５３】
そして、「落書きプレイ」のプログラムを実行するときには、ＣＰＵ２０１が、つぎに説明する画像編集処理手段、サンプル表示処理手段、汎用パレット表示処理手段を形成する。
【００５４】
画像編集処理手段は、図３のステップＳ１６〜ステップＳ１９の画像編集処理の制御に基づき、表示パネル３０の編集対象写真の画像Ｐｘの画像編集操作を受付け、編集対象写真の画像Ｐｘに落書きの画像編集を施す手段である。
【００５５】
サンプル表示処理手段は、落書きの画像編集により、図３のステップＳ１１〜Ｓ１４のサンプル表示処理の制御に基づき、「撮影プレイ」のテーマ・コースの撮影条件の選択に基き、サンプル記憶手段としての記憶装置２０３から、対応する組のサンプル写真の画像Ｐｓ及びサンプルアイテム選択パレットの画像Ｐｐを読み出し、表示パネル３０の落書き編集領域３１に集約的に表示する。
【００５６】
汎用パレット表示処理手段は、図３のステップＳ１５の汎用パレット表示処理の制御に基き、大容量記憶装置２０３から汎用アイテム選択パレットの画像Ｐｎを読み出し、表示パネル３０のサンプル写真の画像Ｐｓ及びサンプルアイテム選択パレットの画像Ｐｐの表示位置と異なる位置の汎用アイテム選択パレット領域３４に表示する手段である。
【００５７】
（動作）
つぎに、コイン投入に基づく一連のゲーム動作について、図２、図３のフローチャートを参照して説明する。
【００５８】
まず、ユーザが所定金額のコインを投入すると、コントローラ部２００のＣＰＵ２０１が規定のプレイ時間（例えば５分間）の経過を監視するとともに、メモリ部２０２に記憶された図２のステップＳ１〜Ｓ３の「撮影プレイ」のプログラムを実行してゲームを開始し、「撮影プレイ」の動作状態になる。
【００５９】
このとき、表示パネル３０にゲーム進行・操作の画面が表示され、図２のステップＳ１により、その表示にしたがってユーザが撮影のコース・テーマを選択して撮影条件を選択すると、ステップＳ２に移行し、選択された撮影条件で撮影ユニット２０のＣＣＤカメラがユーザを撮影し、この撮影で得られた撮影写真の画像（写真データ）が、選択された撮影条件のコース・テーマの識別情報等とともに、記憶装置２０３に書き込まれて記憶される。
【００６０】
そして、設定された制限時間内においては、ユーザが撮影の終了を選択するまで図２のステップＳ３を介してステップＳ１に戻り、ステップＳ１、Ｓ２により、選択された撮影条件の撮影がくり返され、撮影写真の画像及び選択された撮影条件のコース・テーマの識別情報が記憶装置２０３に順次に書き込まれて記憶され、ユーザが撮影の終了を選択すると、「撮影プレイ」を終了する。
【００６１】
ここで、撮影写真の画像とともにその画像の選択された撮影条件のコース・テーマの識別情報を記憶装置２０３に記憶するのは、その識別情報に基づき、撮影条件のコース・テーマの選択に連動して、記憶装置２０３から、対応する組のサンプル写真の画像Ｐｓ及びサンプルアイテム選択パレットの画像Ｐｐを自動的に選択するためである。
【００６２】
そして、「撮影プレイ」が終了すると、ＣＰＵ２０１がメモリ部２０２に記憶された図３のステップＳ１１〜Ｓ１９の「落書きプレイ」のプログラムを実行し、「落書きプレイ」の動作状態に移行し、この「落書きプレイ」の動作状態になると、表示パネル３０が図４の落書きの画像編集処理の画面に切り替わり、まず、そ候補写真領域３３に、記憶装置２０３の各撮影写真の画像が、編集候補写真の画像Ｐｉとして表示される。
【００６３】
そして、ユーザがタッチペンにより候補写真領域３２の好みの編集候補写真の画像Ｐｉを、落書きの編集対象として選択すると、図３のステップＳ１１によってＣＰＵ２０１がそれらの選択を受付け、この受付けに基づき、ＰＵ２０１が図３のステップＳ１２の表示処理とステップＳ１３〜ステップＳ１５の表示処理とを並列に実行する。
【００６４】
このとき、ステップＳ１２の表示処理により、候補写真領域３２から選択された編集候補写真の画像Ｐｉが、表示パネル３０の落書き編集領域３１に編集対象写真の画像Ｐｘとして表示される。
【００６５】
また、ＣＰＵ２０１は、選択された編集候補写真の画像Ｐｉの識別情報にしたがって、その撮影条件のコース・テーマに応じた組の落書き済みのサンプル写真の画像Ｐｓ及びサンプルアイテム選択パレットの画像Ｐｐを記憶装置２０３から自動的に選択して読み出し、ステップＳ１３、Ｓ１４の表示処理により、落書きお手本領域３３にそのサンプル写真の画像Ｐｓ及びサンプルアイテム選択パレットの画像Ｐｐを表示する。
【００６６】
さらに、ステップＳ１５の表示処理により、ＣＰＵ２０１は記憶装置２０３から汎用アイテム選択パレットの画像Ｐｎを読み出し、表示パネル３０の汎用アイテム選択パレット領域３４に表示する。
【００６７】
そして、図３のステップＳ１６、Ｓ１７により、ＣＰＵ２０１は、タッチペンを用いた落書きの画像編集操作を受付け、落書き編集領域３１の編集対象写真の画像Ｐｘに、サンプルアイテム選択パレット、汎用アイテム選択パレットから選択されたペン、フレーム、スタンプ等の画像編集アイテムによる落書きの画像編集処理を施す。
【００６８】
このとき、大半のユーザが望むサンプル写真の画像Ｐｓのサンプルの落書きＲに使用されたペン、フレーム、スタンプ等の画像編集アイテムを、汎用アイテム選択パレットの膨大な数の画像編集アイテムから検索して選択することなく、サンプルアイテム選択パレットから速やかに選択することができ、しかも、選択したアイテムにより、落書きお手本領域３３のサンプル写真の画像ＰＳをみながらサンプルの落書きＲを容易に模倣等することができ、誰でもが、制限時間内に満足のいく落書きの画像編集を行うことができる。
【００６９】
また、サンプルの落書きＲと異なる落書きを施す場合やサンプルの落書きにさらに他の画像編アイテムによる落書きを施す場合は、汎用アイテム選択パレットから必要な画像編集アイテムを選択することにより、自由に満足のいく落書きの画像編集を行うこともできる。
【００７０】
そして、落書き編集領域３１の落書きが施された編集対象写真の画像Ｐｘは、記憶装置２０３に書き込まれて記憶され、編集対象写真の画像Ｐｘの落書きを終了すると、図４のステップＳ１８を肯定（ＹＥＳ）で通過して「落書きプレイ」が終了し、その後、「印刷処理」に移行し、落書きが施された写真の画像Ｐｘが適当な分割数でシール台紙に印刷されて写真シールが形成され、この写真シールが払出されてプレイが終了する。
【００７１】
以上説明したように、前記実施形態の場合、「落書きプレイ」のときに、表示パネル３０の落書き編集領域３１の編集対象写真の画像Ｐｘの近傍の落書きお手本領域３３に、お手本としての落書き済みのサンプル写真の画像Ｐｓ及びその落書きに使用されたペン、フレーム、スタンプ等の画像編集アイテムのみで構成されたサンプルアイテム選択パレットの画像Ｐｐを集約的に表示したため、サンプルアイテム選択パレットからサンプル写真のサンプルの落書Ｒきに使用された画像編集アイテムを速やかに選択して満足のいく落書きの画像編集を短時間に行うことができ、誰でもが、制限時間内に、簡単に、サンプル写真に近い写真シールを得ることができる。
【００７２】
しかも、落書きお手本領域３３と異なる位置に汎用アイテム選択パレット領域３４を表示したため、その領域３３から、サンプルの「落書き」に使用された画像編集アイテム以外の画像編集アイテムも自由に選択することができ、「落書き」の自由度を損ねることもない。
【００７３】
ところで、本発明は上記した実施形態に限定されるものではなく、その趣旨を逸脱しない限りにおいて上述したもの以外に種々の変更を行うことが可能である。
【００７４】
例えば、表示パネル３０に落書き編集領域３１、落書きお手本領域３３等を複数組表示して、複数人のユーザが同時に落書きを楽しめるようにしてもよい。
【００７５】
また、操作を一層容易にするため、「落書きプレイ」のときに、画像編集アイテムとして、表示パネル３０に落書きお手本領域３３のサンプルアイテム選択パレットの画像編集アイテムのみを表示し、これらのアイテムのみによって落書きが行えるようにしてもよい。
【００７６】
つぎに、落書きお手本領域３３及び汎用アイテム選択パレット領域３４の表示位置、形状等はどのようであってもよいのは勿論であり、例えば、サンプル写真やサンプルアイテム選択パレットの画像Ｐｓ、Ｐｐは、表示パネル３０の落書き編集領域３１の近傍でなく、その領域３１から離れた位置に表示してもよく、その際、サンプル写真、サンプルアイテム選択パレットの画像Ｐｓ、Ｐｐが一定個所に集約的に表示されなくてもよい。
【００７７】
また、例えばサンプルアイテム選択パレットの画像Ｐｓを、汎用アイテム選択パレットに埋め込んで表示してもよく、さらに、サンプルアイテム選択パレットの中にサンプルアイテムを集約的にまとめて表示するようにしてもよい。
【００７８】
つぎに、表示パネル３０をいわゆるメインパネルとして「撮影プレイ」等の表示・操作に使用し、「落書きプレイ」の図５のような画像編集処理の画面は、メインパネルと別体の表示パネル（落書きパネル）を本願発明の表示手段として、その落書きパネルに表示するようにしてもよい。
【００７９】
さらに、落書きお手本領域３３の落書き済みのサンプル写真の画像Ｐｓ及びサンプルアイテム選択パレットの画像Ｐｐを、編集中にユーザが選択等できるようにしてもよい。
【００８０】
一方、表示パネル３０は、いわゆるタッチパネル構成の画面表示パネルであってもよく、ＣＲＴディスプレイ等であってもよく、「落書きプレイ」の落書きの編集対象写真の画像Ｐｘは、「撮影プレイ」で撮影された写真の画像でなくてもよく、携帯電話等の他の機器（外部機器）の撮影写真の画像等であってもよい。
【図面の簡単な説明】
【００８１】
【図１】この発明の１実施形態のブロック図である。
【図２】図１の「撮影プレイ」の動作説明用のフローチャートである。
【図３】図１の「落書きプレイ」の動作説明用のフローチャートである。
【図４】図１の表示パネルの「落書きプレイ」の画像編集処理の画面表示例の図面である。
【図５】図４の一部の詳細な表示例の図である。
【符号の説明】
【００８２】
１    写真シール払出装置
３０  表示パネル
３１  落書き編集領域
３３  落書きお手本領域
３４  汎用アイテム選択パレット領域
５５  プリンタ
２００  コントローラ部
２０１  ＣＰＵ
２０３  大容量記憶装置
Ｐｘ  落書き編集対象写真の画像
Ｐｓ  サンプル写真の画像
Ｐｐ  サンプルアイテム選択パレットの画像
【図１】
2005210272.tif 000003
【図２】
2005210272.tif 000004
【図３】
2005210272.tif 000005
【図４】
2005210272.tif 000006
【図５】
2005210272.tif 000007